(57)【要約】【課題】積文書の一部ページ差し替えにおいてユーザーに負荷の無い差し替えを実現する。【解決手段】原稿を読み取り画像データを得る読取部と、読取部で得た画像データまたはネットワーク経由で受信した印刷データに基づく画像データを印刷する印刷部を備えた画像形成装置であって、原稿を読み取ったときに、当該原稿が画像形成装置内に蓄積している画像データのどのページであるかを特定可能とする識別情報を、情報処理装置からの要求に基づく画像データに付加する識別情報付加手段と、識別情報を付加した画像データを蓄積する蓄積手段と、原稿を読み取ったときに、原稿に付加されている識別情報を解析し、当該原稿が、蓄積している画像データのどのページにあるかを特定する特定手段と、蓄積している画像データの当該原稿に対応するページを、当該原稿の画像データと差し替える差替手段とを備える。【選択図】図３
2012195777.tif 000002
【特許請求の範囲】
【請求項１】
原稿を読み取り画像データを得る読取部と、読取部で得た画像データまたはネットワーク経由で受信した印刷データに基づく画像データを印刷する印刷部を備えた画像形成装置であって、
原稿を読み取ったときに、当該原稿が画像形成装置内に蓄積している画像データのどのページであるかを特定可能とする識別情報を、情報処理装置からの要求に基づく画像データに付加する識別情報付加手段と、
前記識別情報を付加した画像データを蓄積する蓄積手段と、
原稿を読み取ったときに、原稿に付加されている識別情報を解析し、当該原稿が、蓄積している画像データのどのページにあるかを特定する特定手段と、
蓄積している画像データの当該原稿に対応するページを、当該原稿の画像データと差し替える差替手段と
を備えることを特徴とする画像形成装置。
【請求項２】
前記識別情報付加手段は、原稿を読み取ったときに、当該原稿が画像形成装置内に蓄積している画像データのどのページであるかを特定可能とする識別情報を、情報処理装置からの要求に基づく描画前の印刷データに付加し、
前記蓄積手段は、前記識別情報を付加した印刷データのみを蓄積し、
前記特定手段は、前記読取手段により原稿を読み取ったときに、原稿に付加されている識別情報を解析し、当該原稿が、蓄積している描画前の印刷データのどのページにあるかを特定し、
前記差替手段は、蓄積している印刷データの当該原稿に対応するページのデータを、当該原稿の画像データと差し替える
ことを特徴とする請求項１に記載の画像形成装置。
【請求項３】
前記読取部により読み取った原稿の画像データと、蓄積している画像データまたは蓄積している印刷データに基づく画像データとのデータサイズの相違から、原稿への手書き画像の有無を特定する手書き画像特定手段をさらに備え、
前記差替手段は、前記手書き画像特定手段により手書き画像が特定された場合に、当該特定された原稿について、蓄積している画像データまたは蓄積している印刷データの当該原稿に対応するページのデータを、当該原稿の画像データと差し替える
ことを特徴とする請求項１または請求項２に記載の画像形成装置。
【請求項４】
原稿を読み取り画像データを得る読取部と、読取部で得た画像データまたはネットワーク経由で受信した印刷データに基づく画像データを印刷する印刷部を備えた画像形成装置の制御方法であって、
識別情報付加手段により、原稿を読み取ったときに、当該原稿が画像形成装置内に蓄積している画像データのどのページであるかを特定可能とする識別情報を、情報処理装置からの要求に基づく画像データに付加する工程と、
蓄積手段により、前記識別情報を付加した画像データを蓄積する工程と、
特定手段により、原稿を読み取ったときに、原稿に付加されている識別情報を解析し、当該原稿が、蓄積している画像データのどのページにあるかを特定する工程と、
差替手段により、蓄積している画像データの当該原稿に対応するページを、当該原稿の画像データと差し替える工程と
を含むことを特徴とする画像形成装置の制御方法。
【発明の詳細な説明】
【技術分野】
【０００１】
本発明は、画像形成装置およびその制御方法に関する。
【背景技術】
【０００２】
従来より、プリンタには印刷文書の蓄積機能というものがあり、ＰＣやスキャナといった入力装置からプリンタ内のＨＤＤに文書を保存しておくことができる。この蓄積機能では、印刷したものを再印刷する必要があるときなどには文書を蓄積しておき、再び印刷するときには機器での操作だけで再印刷が可能となる。
【０００３】
また、蓄積機能を利用するものとして、特許文献１には、蓄積された画像や文書に対して処理を行なう際の、画像指定手順を簡略化して画像管理を容易にすることを目的で、保存を行なった画像データおよび印刷用紙のＩＤ（Ｉｄｅｎｔｉｆｉｃａｔｉｏｎ）を符号化したマーキングを検出し、当該ＩＤに対応する画像の削除の管理、また、別装置の保存場所への複製・移動とその後の削除の管理を可能にした技術が開示されている。
【発明の概要】
【発明が解決しようとする課題】
【０００４】
しかしながら、今までの蓄積文書印刷では一度蓄積した文書内の一部ページを修正して、既に蓄積されている該当ページと修正ページを差し替えようとする場合に、１．対象の文書と２．対象のページをユーザーが指定する必要があった。しかし、１．多くの文書を蓄積している場合に該当の文書を選択することや、２．表紙や合紙の関係でユーザーの認識とプリンタ内蓄積文書のページ数にズレが発生している場合に該当のページを指定することは、非常に難しい。このように、従来技術では「蓄積文書の一部ページ差し替えの際にユーザーの複雑な処理を必要とする」という問題があった。
【０００５】
本発明は、上記に鑑みてなされたものであって、本発明は、蓄積文書の一部ページ差し替えにおいてユーザーに負荷の無い差し替えを実現することを目的とする。
【課題を解決するための手段】
【０００６】
上述した課題を解決し、目的を達成するために、本発明は、原稿を読み取り画像データを得る読取部と、読取部で得た画像データまたはネットワーク経由で受信した印刷データに基づく画像データを印刷する印刷部を備えた画像形成装置であって、原稿を読み取ったときに、当該原稿が画像形成装置内に蓄積している画像データのどのページであるかを特定可能とする識別情報を、情報処理装置からの要求に基づく画像データに付加する識別情報付加手段と、前記識別情報を付加した画像データを蓄積する蓄積手段と、原稿を読み取ったときに、原稿に付加されている識別情報を解析し、当該原稿が、蓄積している画像データのどのページにあるかを特定する特定手段と、蓄積している画像データの当該原稿に対応するページを、当該原稿の画像データと差し替える差替手段とを備えることを特徴とする。
【０００７】
また、本発明は、原稿を読み取り画像データを得る読取部と、読取部で得た画像データまたはネットワーク経由で受信した印刷データに基づく画像データを印刷する印刷部を備えた画像形成装置の制御方法であって、識別情報付加手段により、原稿を読み取ったときに、当該原稿が画像形成装置内に蓄積している画像データのどのページであるかを特定可能とする識別情報を、情報処理装置からの要求に基づく画像データに付加する工程と、蓄積手段により、前記識別情報を付加した画像データを蓄積する工程と、特定手段により、原稿を読み取ったときに、原稿に付加されている識別情報を解析し、当該原稿が、蓄積している画像データのどのページにあるかを特定する工程と、差替手段により、蓄積している画像データの当該原稿に対応するページを、当該原稿の画像データと差し替える工程とを含むことを特徴とする。
【発明の効果】
【０００８】
本発明によれば、蓄積文書の一部ページを差し替える際に、差し替える対象のページのみを自動的に差し替え再蓄積することができ、その結果、ユーザーに負担の無い差し替えを実現することができる。
【図面の簡単な説明】
【０００９】
【図１】図１は、本発明に係る実施形態である画像形成装置の全体構成を示すブロック図である。
【図２】図２は、同実施形態の画像形成装置におけるコントローラの機能ブロック図である。
【図３】図３は、同実施形態における蓄積文書の一部差し替えについて説明する図である。
【図４】図４は、ＩＤ画像を付加した文書（印刷物）の一例を示す図である。
【図５】図５は、同実施形態における実施例１としてのアクティビティ図（文書蓄積時）である。
【図６】図６は、同実施形態における実施例１としてのアクティビティ図（文書印刷時）である。
【図７】図７は、同実施形態における実施例１としてのアクティビティ図（文書再蓄積時）である。
【図８】図８は、同実施形態における実施例２としてのアクティビティ図（文書蓄積時）である。
【図９】図９は、同実施形態における実施例２としてのアクティビティ図（文書印刷時）である。
【図１０】図１０は、同実施形態における実施例２としてのアクティビティ図（文書再蓄積時）である。
【発明を実施するための形態】
【００１０】
以下に添付図面を参照して、この発明にかかる実施の形態を詳細に説明する。
【００１１】
はじめに、本実施形態の画像形成装置の全体構成について、図１を用いて説明する。図１は、画像形成装置の全体構成を示すブロック図である。なお、図１には、本実施形態の画像形成装置を利用して印刷を行うホストＰＣ２０も図示している。
【００１２】
図１に示すように、画像形成装置１０は、画像形成装置１０全体の制御を行うコントローラ１と、画像データを出力し印刷するエンジン２と、ユーザーがそのパネル上で画像形成装置１の操作を行うパネル装置３と、原稿を読取り画像データを出力するスキャナ４と、画像データなどの容量の大きいデータを一定期間記憶するＨＤＤ５で構成される。
【００１３】
コントローラ１は、ＣＰＵ１−１、プログラムＲＯＭ１−２、ＲＡＭ１−３、ＮＶＲＡＭ１−４、ネットワークＩ／Ｆ１−５、エンジンＩ／Ｆ１−６，パネルＩ／Ｆ１−７、スキャナＩ／Ｆ１−８、ＨＤＤ  Ｉ／Ｆ１−９を持つ。これらはシステムバスにより接続され、データのやり取りが可能である。
【００１４】
ＣＰＵ１−１は、各種データの演算処理や画像形成装置１０全体の制御を行うものである。プログラムＲＯＭ１−２は、ＣＰＵ１−１が実行する制御プログラムや所定の設定データ等を記憶している。
【００１５】
ＲＡＭ１−３は、ＣＰＵ１−１のワークメモリとして、また、印刷データをページ単位に管理・記憶するためのバッファや、このバッファのデータを印字データパターンに変換した画像データを一時記憶するビットマップメモリ（フレームメモリ）として使用される。
【００１６】
ＮＶＲＡＭ１−４は、本体電源が遮断されても保持したいデータ（蓄積文書等）を格納するための不揮発性のメモリである。
【００１７】
ネットワークＩ／Ｆ１−５は、ＬＡＮ等のネットワークを介して他の装置（ホストＰＣ２０等）とのデータのやり取りを行うためのインタフェースである。エンジンＩ／Ｆ１−６は、コントローラ１とエンジン２の間のデータのやり取りや、コントローラ１のエンジン２に対する印刷処理における動作制御を行うインタフェースである。
【００１８】
パネルＩ／Ｆ１−７は、コントローラ１とパネル装置３の間のデータのやり取りを行うためのインタフェースである。スキャナＩ／Ｆ１−８は、コントローラ１とスキャナ４の間のデータのやり取りを行うためのインタフェースである。ＨＤＤ  Ｉ／Ｆ１−９は、コントローラ１とＨＤＤ５の間のデータのやり取りを行うためのインタフェースである。
【００１９】
次に、本実施形態の画像形成装置におけるコントローラの機能構成について、図２を用いて説明する。図２は、本実施形態の画像形成装置におけるコントローラ１の機能ブロック図である。
【００２０】
通信部１０１は、ホストＰＣ２０や、パネル装置３およびスキャナ４と、コマンドやデータのやり取りを行う。ホストＰＣ２０からの印刷データ（再蓄積時自動差し替えをするか否かの情報を含む）もこの通信部１０１で受信する。
【００２１】
データ処理部１０２は、コントローラ１の中核であり、コントローラ１を構成する各部とデータのやり取りを行う。ホストＰＣ２０からの印刷データを通信部１０１から受けるとこの印刷データを解析し、解析結果として描画（レンダリング）前の文書データとその他の文書情報（設定情報等）を描画前データとして得る。蓄積印刷の場合は、上記描画前データおよび描画後の画像データを、または、描画前データのみを下記のデータ保管部１０６に蓄積させる。なお、描画前データとして、ホストＰＣ２０からの印刷データそのものを蓄積するようにしてよい。また、スキャナ４で読み取った原稿の画像データ（ＩＤ画像含む場合もある）を解析し、蓄積文書中の差し替え対象ページと再蓄積ページ（差し替えて再蓄積するページ）を差し替えるための処理を行う。
【００２２】
ＩＤ管理部１０３は、印刷データのページごとに固有のＩＤを割り振り、管理する。
【００２３】
画像生成部１０４は、データ処理部１０２により解析された印刷データの画像を描画する。また、ＩＤ管理部１０３により印刷データの各ページに割り振られた固有ＩＤからそれぞれのＩＤ画像を作成する。
【００２４】
印刷部１０５は、画像生成部１０４により描画された画像およびＩＤ画像を印刷用紙に転写するための制御をする。
【００２５】
データ保管部１０６は、描画前データおよび描画後の画像データを、または描画前データのみを、ＨＤＤ５に保管する制御を行う。
【００２６】
次に、本実施形態における蓄積文書の一部差し替えについて、その概要（一例）を、図３を用いて説明する。なお、以下の説明は、始めの蓄積時に、再蓄積時自動差し替え機能をオフにしており、印刷時にこの機能をオンにする場合の例である。始めの蓄積時に、再蓄積時自動差し替え機能をオンにしている場合については、後に詳述する。
【００２７】
（１）ユーザーがホストＰＣ２０から蓄積印刷を行う。このとき、ホストＰＣ２０は、画像形成装置１０に蓄積指示を伴う印刷データを送信する。
【００２８】
（２）画像形成装置１０は、ホストＰＣ２０からの印刷データを解析し得られた描画前データを（または印刷データそのものを）ＨＤＤ５に保存し蓄積する。
【００２９】
（３）ユーザーが、再蓄積時自動差し替え機能をオンにし、蓄積文書を印刷する指示をする。
【００３０】
（４）画像形成装置１０は、蓄積文書の各ページに固有の文書ＩＤからＩＤ画像を生成する。
【００３１】
（５）画像形成装置１０は、生成されたＩＤ画像を付加して印刷する。
【００３２】
（６）ユーザーが印刷物にメモ書きなどを加え、蓄積文書を、修正を加えた印刷文書で差し替える目的で、修正を加えたページのみを再度蓄積する。
【００３３】
（７）画像形成装置１０は、読み取った原稿内のＩＤ画像を解析し、差し替え対象のページを特定し、蓄積されている差し替え対象のページを、修正されたページと差し替えて再蓄積する。
【００３４】
以上が、蓄積文書の一部差し替えの概要（一例）である。
【００３５】
次に、ＩＤ管理部１０３により割り振られる文書ＩＤについて説明する。
【００３６】
ＩＤ管理部１０３は、蓄積された文書と、その各ページについて固有のＩＤを割り振り、画像生成部１０４は、そのＩＤを符号化しＩＤ画像を作成する。固有のＩＤの割り振り方として、ＩＤを文書ＩＤとページＩＤに分割して考える。割り振り方の例として以下の２つを挙げる。
【００３７】
（１）ＩＤの割り振り時に連番で割り振る。
（２）ＩＤの割り振り時の時刻（日時）に基づき割り振る。
【００３８】
（１）の場合：文書ＩＤは文書毎の連番とし、ページＩＤはページ毎の連番（ページ番号に対応）とする。下記に一例（一部）を示す。
【００３９】
文書ＩＤ          −ページＩＤ
００００００００１−００００００１
００００００００１−００００００２
【００４０】
（２）の場合：文書ＩＤは、ＩＤの割り振り時の時刻（日時）を用い、ページＩＤはページ毎の連番（ページ番号に対応）とする。下記に一例（一部）を示す。
【００４１】
文書ＩＤ                −ページＩＤ
２０１０１２２２００００−００００００１
２０１０１２２２００００−００００００２
【００４２】
上記のような文書ＩＤおよびページＩＤをまとめて固有ＩＤと名付ける。この固有ＩＤを例えばバーコードなどに符号化し、文書に付加する（図４参照）。本実施形態では、固有ＩＤを符号化して作成した画像をＩＤ画像と呼ぶ。なお、図４の例は、ＩＤ画像として１次元バーコードを例示しているが、これに限らず２次元バーコードやその他のＩＤ画像を採用することができる。
【００４３】
ここからは、
実施例１：始めの蓄積時に、再蓄積時自動差し替え機能をオンにしている場合、
実施例２：始めの蓄積時に、再蓄積時自動差し替え機能をオフにしており、印刷時にこの機能をオンにする場合、
の２つの実施例についてその詳細を説明する。
【００４４】
（実施例１）
まず、実施例１としての、始めの蓄積時に差し替え機能をオンにしている場合について、そのアクティビティ図を図５，６，７に示し、各部の動作を説明する。
【００４５】
（１）文書蓄積時（図５参照）
ユーザーが、Ｓ１０１でホストＰＣ２０にて始めの蓄積時に再蓄積時自動差し替え機能をオンにし、文書を蓄積するための所定操作をした場合、画像形成装置１０内の通信部１０１が蓄積する文書（印刷データ）を受信した時点で（Ｓ１０２）、データ処理部１０２はＩＤ管理部１０３に固有ＩＤを生成させる（Ｓ１０３）。ＩＤ管理部１０３は、データ処理部１０２による印刷データの解析結果の文書情報から固有ＩＤを生成する（Ｓ１０４）。
【００４６】
このまま固有ＩＤと描画前データのみ（または印刷データのみ）を保存するということも考えられるが、ここでは印刷時の処理を軽減するために、データ処理部１０２は、蓄積する時点で画像生成部１０４に固有ＩＤと文書データを描画させ（Ｓ１０５）、画像生成部１０４によりＩＤ画像を付加した画像データも作成しておく（Ｓ１０６）。
【００４７】
そして、データ処理部１０２は、描画済みのデータ（画像データ）と描画前のデータをデータ保管部１０６に保管させる（Ｓ１０７）。データ保管部１０６は、固有ＩＤ（または文書ＩＤ）に関連付けて各データをＨＤＤ５に保管し蓄積文書とする（Ｓ１０８）。
【００４８】
（２）文書印刷時（図６参照）
蓄積文書の印刷時にはユーザーは再蓄積時自動差し替えについて意識する必要はなく、ユーザーはホストＰＣ２０または画像形成装置１０にて、蓄積された文書を印刷するための所定操作をする（Ｓ２０１）。通信部１０１は、ホストＰＣ２０またはパネル装置３から蓄積文書に対する印刷命令を受信する（Ｓ２０２）。この命令を受けてデータ処理部１０２は、データ保管部１０６に該当の画像データを取り出させる（Ｓ２０３）。データ保管部１０６は、ＨＤＤ５から該当の画像データを取り出し出力する（Ｓ２０４）。データ処理部１０２は、印刷部１０５にこの画像データの印刷を実行させる（Ｓ２０５）。そして、印刷部１０５によりエンジン２に対する印刷制御がなされる（Ｓ２０６）。このようにして、蓄積された文書のデータを印刷する。
【００４９】
（３）文書再蓄積時（図７参照）
手書きなどにより修正したページを再蓄積する時、ユーザーは画像形成装置１０にて、差し替えるページを再蓄積するための所定操作をする（Ｓ３０１）。なお、ここで差し替えるページは、所定操作により、ＩＤ画像が付加された印刷物をスキャナ４で読み取ったものである。
【００５０】
通信部１０１が再蓄積する原稿のデータを受信すると（Ｓ３０２）、データ処理部１０２で差し替える原稿のＩＤ画像を解析し、その固有ＩＤを取得する（Ｓ３０３）。データ処理部１０２は取得した固有ＩＤをＩＤ管理部１０３に問い合わせ、ＩＤ管理部１０３により固有ＩＤ（ここでは文書ＩＤ）に対応した蓄積文書（ページ）が特定される（Ｓ３０４）。
【００５１】
データ処理部１０２は、差し替え対象ページを含む蓄積文書の描画前データをデータ保管部に取り出させる（Ｓ３０５）。データ保管部１０６は、該当の描画前データをＨＤＤ５から取り出しデータ処理部１０２に出力する（Ｓ３０６）。データ処理部１０２は、描画前データの差し替え対象ページのデータを差し替え（Ｓ３０７）、画像生成部１０４に固有ＩＤと文書データを描画させる（ステップＳ３０８）。画像生成部１０４は、再蓄積のため再びＩＤ画像を付加した差し替え済み文書データを描画する（Ｓ３０９）。データ処理部１０２は、上記のようにして差し替えが済んだ描画済みのデータと描画前のデータを再蓄積するようデータ保管部１０６に保管させる（Ｓ３１０）。データ保管部１０６は、固有ＩＤ（または文書ＩＤ）に関連付けて再蓄積文書（上記描画済みのデータと描画前のデータ）をＨＤＤ５に保管し再蓄積文書とする（Ｓ３１１）。
【００５２】
本実施例１では、固有ＩＤから差し替え対象ページを特定できるため、自動的にページを差し替えることができる。その結果、蓄積文書の一部ページ差し替えにおいてユーザーに負担の無い差し替えを実現することができる。また、本実施例では、描画前データと描画後データの両方を蓄積しておく必要があるため、ＨＤＤの容量に影響するものの、文書蓄積時にＩＤ画像を付加して描画を行った画像データを蓄積しており、印刷時にはデータ保管部１０６によりそのデータを取り出して印刷するので、印刷時の処理の負荷を抑えることができる。
【００５３】
（実施例２）
次に、実施例２として、実施例１で説明した蓄積時ではなく、印刷時に差し替え機能をオンにする場合について、そのアクティビティ図を図８，９，１０に示し、各部の動作を説明する。
【００５４】
（１）文書蓄積時（図８参照）
ユーザーが、始めの蓄積時に再蓄積時自動差し替え機能について意識してせずに、再蓄積時自動差し替え機能をオフとしたまま、Ｓ４０１でホストＰＣ２０にて文書を蓄積するための所定操作をした場合、画像形成装置１０内の通信部１０１が蓄積する文書（印刷データ）を受信した時点で（Ｓ４０２）、データ処理部１０２は受信した描画前データ（または印刷データ）をそのままデータ保管部１０６に保管させる。このとき、データ保管部１０６は、固有ＩＤ（または文書ＩＤ）に関連付けて描画前データのみをＨＤＤ５に保管し蓄積文書とする（Ｓ４０４）。
【００５５】
（２）文書印刷時（図９参照）
蓄積文書の印刷時にユーザーが再蓄積時自動差し替え機能をオンにしてホストＰＣ２０または画像形成装置１にて、蓄積された文書を印刷するための所定操作をする（Ｓ５０１）。
【００５６】
通信部１０１が、ホストＰＣ２０またはパネル装置３から蓄積文書に対する印刷命令を受信すると（Ｓ５０２）、データ処理部１０２はこの命令を受けて、データ保管部１０６に該当の描画前データを取り出させる（Ｓ５０３）。データ保管部１０６は、ＨＤＤ５から該当の描画前データを取り出す（Ｓ５０４）。
【００５７】
データ処理部１０２は、データ保管部１０６から取得した描画前データ（蓄積文書）に対して、ＩＤ管理部１０３に固有ＩＤを生成させる（Ｓ５０５）。ＩＤ管理部１０３は、データ処理部１０２による印刷データの解析結果の文書情報から固有ＩＤを生成する（Ｓ５０６）。
【００５８】
データ処理部１０２は、画像生成部１０４に、ＩＤ管理部１０３が生成した固有ＩＤと文書データを合わせて描画させる（Ｓ５０７）。画像生成部１０４は、固有ＩＤと文書データとから描画を行い、ＩＤ画像を付加した画像データを生成する（Ｓ５０８）。
【００５９】
次いで、データ処理部１０２は、印刷部１０５に、画像生成部１０４が生成したＩＤ画像を付加した画像データの印刷を実行させる（Ｓ５０９）。そして、印刷部１０５によりエンジン２に対する印刷制御がなされる（Ｓ５１０）。
【００６０】
このようにして、蓄積された文書のデータを印刷する。なお、印刷時にユーザーが再蓄積時自動差し替え機能をオフのままとした場合、ＩＤ画像が付加されない通常の蓄積文書の印刷処理がなされる。
【００６１】
（３）文書再蓄積時（図１０参照）
加筆などにより修正したページを再蓄積する時、ユーザーは画像形成装置１０にて、差し替えるページを再蓄積するための所定操作をする（Ｓ６０１）。なお、ここで差し替えるページは、所定操作により、ＩＤ画像が付加された印刷物をスキャナ４で読み取ったものである。
【００６２】
通信部１０１が再蓄積する原稿のデータを受信すると（Ｓ６０２）、データ処理部１０２は、差し替える原稿のＩＤ画像を解析し、その固有ＩＤを取得する（Ｓ６０３）。
【００６３】
次いで、データ処理部１０２は、取得した固有ＩＤをＩＤ管理部１０３に問い合わせ、ＩＤ管理部１０３により固有ＩＤ（ここでは文書ＩＤ）に対応した蓄積文書（ページ）が特定される（Ｓ６０４）。
【００６４】
データ処理部１０２は、上記で特定された差し替え対象ページを含む文書の描画前データをデータ保管部取り出させる（Ｓ６０５）。データ保管部１０６は、該当の描画前データをＨＤＤ５から取り出しデータ処理部１０２に出力する（Ｓ６０６）。
【００６５】
データ処理部１０２は、蓄積文書の差し替え対象ページのデータを再蓄積する原稿（ページ）のデータと差し替え（Ｓ６０７）、差し替え済みの描画前のデータを再蓄積するようデータ保管部１０６に保管させる（Ｓ６０８）。そして、データ保管部１０６は、固有ＩＤ（または文書ＩＤ）に関連付けて再蓄積文書（上記差し替え済みの描画前のデータのみ）をＨＤＤ５に保管し再蓄積文書とする（Ｓ６０９）。
【００６６】
本実施例では、実施例１のように文書蓄積時に固有ＩＤの生成やＩＤ画像を含む描画後データの生成・蓄積を行わないので、蓄積時には再蓄積時自動差し替え機能を利用するつもりだったが、印刷時には必要がなくなったといった場合に不要な固有ＩＤの生成やＩＤ画像の印刷が減る。また、描画前のデータのみを保存しているため、データ保管に必要な容量は実施例１の場合に比べて少なくてすむ。
【００６７】
（その他の実施例）
実施例１および実施例２では、再蓄積する特定のページが読み取られてそれを蓄積済みのページと差し替える処理を行っているが、他の実施例として、実施例１におけるステップＳ３０３の前段階または実施例２におけるステップＳ６０３の前段階において、データ処理部１０２により、スキャナ４で読み取った原稿と蓄積している印刷データとの画像データのデータサイズの相違から、原稿への手書き画像の有無を特定し、原稿への手書き画像があった場合にのみ、上記ステップＳ３０３またはステップＳ６０３以降の処理を行ってページの差し替えを行う形態とすることもできる。本実施例では、差し替えるべきページを自動で識別しその差し替えを行うことができる。また、原稿への手書き画像がない場合、再蓄積のため読み取った原稿は蓄積文書と同じとなるので、ステップＳ３０３またはステップＳ６０３以降の再蓄積のための処理は不要となる。
【００６８】
以上、発明を実施するための実施の形態について説明を行ったが、本発明は、上述した実施の形態に限定されるものではない。本発明の主旨を損なわない範囲で変更することが可能である。上記実施形態で説明した画像形成装置１０としては、複写機や、コピー機能、プリンタ機能、スキャナ機能およびファクシミリ機能のうち少なくとも２つの機能を有する複合機等が含まれる。
【００６９】
また、上記実施形態のコントローラ１のＣＰＵ１−１で実行される制御プログラムは、プログラムＲＯＭ１−２に予め組み込まれるものとして説明したが、この制御プログラムは、インストール可能な形式又は実行可能な形式のファイルとしてＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。また、この制御プログラムは、インターネット等のネットワークに接続されたコンピュータ上に格納し、インターネット等のネットワーク経由で提供または配布するように構成しても良い。
【符号の説明】
【００７０】
１  コントローラ
１−１  ＣＰＵ
１−２  プログラムＲＯＭ
１−３  ＲＡＭ
１−４  ＮＶＲＡＭ
１−５  ネットワークＩ／Ｆ
１−６  エンジンＩ／Ｆ
１−７  パネルＩ／Ｆ
１−８  スキャナＩ／Ｆ
１−９  ＨＤＤ  Ｉ／Ｆ
２  エンジン（印刷部）
３  パネル装置
４  スキャナ（読取部）
５  ＨＤＤ
２０  ホストＰＣ
１０１  通信部
１０２  データ処理部（識別情報付加手段、特定手段、差替手段、手書き画像特定手段）
１０３  ＩＤ管理部（特定手段）
１０４  画像生成部（識別情報付加手段）
１０５  印刷部
１０６  データ保管部（蓄積手段、差替手段）
【先行技術文献】
【特許文献】
【００７１】
【特許文献１】特開２００９−１２４２５６号公報
【図１】
2012195777.tif 000003
【図２】
2012195777.tif 000004
【図３】
2012195777.tif 000005
【図４】
2012195777.tif 000006
【図５】
2012195777.tif 000007
【図６】
2012195777.tif 000008
【図７】
2012195777.tif 000009
【図８】
2012195777.tif 000010
【図９】
2012195777.tif 000011
【図１０】
2012195777.tif 000012